(57)【要約】【課題】成型時に発生するバリを除去することなく、いずれのタイプのレンズホルダに対しても正確に取付け可能なピックアップ装置用レンズを提供すること。【解決手段】ピックアップ装置用レンズが、第１レンズ面と第２レンズ面が形成されたレンズ部と、レンズ部の縁部から突出するフランジ部とを備え、フランジ部は、第１レンズ面と第２レンズ面のいずれか一方の外周を囲むようにフランジ部の一方端面に形成された第１平面部と、第１平面部の外周を囲むように形成された第２平面部と、第２平面部の外周を囲むように形成された第３平面部と、フランジ部の外周面上であって、フランジ部の一方端面側の端部から所定距離だけ離れた位置に周方向に形成された第１のバリ形成部と、第２平面部と第３平面部との境界部に形成された第２のバリ形成部とを備え、第２平面部及び第３平面部は、第１平面部よりもフランジ部の他方端面側に形成されている。【選択図】  図３
2014056632.tif 000002
【特許請求の範囲】
【請求項１】
光源から出射された所定波長の光が入射する第１レンズ面と、該第１レンズ面に入射した光が出射される第２レンズ面と、が表裏に形成されたレンズ部と、
前記レンズ部の縁部からフランジ状に突出する略円盤状のフランジ部と、
を備えた樹脂製のピックアップ装置用レンズであって、
前記フランジ部は、
前記レンズ部の光軸に略垂直な環状の平面であって、前記第１レンズ面と前記第２レンズ面のいずれか一方の外周を囲むように前記フランジ部の一方端面に形成された第１平面部と、
前記レンズ部の光軸に略垂直な環状の平面であって、前記第１平面部の外周を囲むように形成された第２平面部と、
前記レンズ部の光軸に略垂直な環状の平面であって、前記第２平面部の外周を囲むように形成された第３平面部と、
前記フランジ部の外周面上であって、前記フランジ部の一方端面側の端部から他方端面側の端部に向かって所定距離だけ離れた位置に周方向に形成された第１のバリ形成部と、
前記第２平面部と前記第３平面部との境界部に形成された第２のバリ形成部と、
を備え、
前記第２平面部及び第３平面部は、前記第２のバリ形成部において発生するバリが前記第１平面部から突出しないように、前記第１平面部よりも前記フランジ部の他方端面側に形成されている
ことを特徴とするピックアップ装置用レンズ。
【請求項２】
前記第２平面部と前記第３平面部は、光軸方向において、略同一の位置に形成されていることを特徴とする請求項１に記載のピックアップ装置用レンズ。
【請求項３】
前記第２平面部は、前記第３平面部よりも前記フランジ部の他方端面側に形成されており、
前記フランジ部は、前記第２のバリ形成部に沿って第１の段差部を有することを特徴とする請求項１に記載のピックアップ装置用レンズ。
【請求項４】
前記フランジ部は、前記第１のバリ形成部に沿って第２の段差部を有することを特徴とする請求項１から請求項３のいずれか一項に記載のピックアップ装置用レンズ。
【請求項５】
前記所定距離は、前記フランジ部の一方端面と他方端面との間の距離の１／２より短いことを特徴とする請求項１から請求項４のいずれか一項に記載のピックアップ装置用レンズ。
【請求項６】
前記フランジ部の一方端面は、前記第１レンズ面側の端面であることを特徴とする請求項１から請求項５のいずれか一項に記載のピックアップ装置用レンズ。
【請求項７】
請求項１から請求項６のいずれか一項に記載のピックアップ装置用レンズと、該ピックアップ装置用レンズを保持するレンズホルダとを備えるレンズユニットであって、
前記レンズホルダは、貫通孔が形成された板状の部材であり、該貫通孔の外周に前記第１平面部と当接し前記ピックアップ装置用レンズを位置決めするレンズ保持面を備えることを特徴とするレンズユニット。
【請求項８】
請求項１から請求項７のいずれか一項に記載のピックアップ装置用レンズと、該ピックアップ装置用レンズを保持するレンズホルダとを備えるレンズユニットであって、
前記レンズホルダは、貫通孔が形成された板状の部材であり、該貫通孔の内周面は、前記フランジ部の一方端面側の端部が当接可能な傾斜面となっており、
前記レンズユニットは、前記フランジ部の一方端面側の端部を前記傾斜面に対して摺動させることにより前記ピックアップ装置用レンズの傾きを調整する傾き調整手段を備えることを特徴とするレンズユニット。
【請求項９】
前記傾斜面の傾斜角度をα０、前記傾き調整手段によって調整可能な前記ピックアップ装置用レンズの傾き角度をα１、前記第１のバリ形成部において発生するバリの高さをＴｂ１、第２のバリ形成部において発生するバリの高さをＴｂ２、前記フランジ部の光軸方向の厚みをＤｆ、としたとき、
前記フランジ部の一方端面側の端部から前記第１のバリ形成部までの距離Ｌｂ１、及び前記フランジ部の一方端面側の端部から前記第２のバリ形成部までの距離Ｌｂ２は、次の条件式（１）及び（２）を満足することを特徴とする請求項８に記載のレンズユニット。
【数１】
2014056632.tif 000007
【数２】
2014056632.tif 000008
【請求項１０】
表裏に第１レンズ面及び第２レンズ面が形成されたレンズ部と、前記レンズ部の縁部からフランジ状に突出する略円盤状のフランジ部とを備えた樹脂製のレンズを、射出成型によって形成するためのレンズ成型用金型であって、
前記レンズ部の光軸に垂直な平面上にパーティングライン面を有する第１及び第２金型部を備え、
前記第１金型部は、
前記第１レンズ面と前記第２レンズ面のいずれか一方と、前記レンズ部の光軸に略垂直な環状の平面であって、前記第１レンズ面と前記第２レンズ面のいずれか一方の外周を囲むように前記フランジ部に形成される第１平面部と、前記レンズの光軸に略垂直な環状の平面であって、前記第１平面部よりも前記第１レンズ面と前記第２レンズ面のいずれか他方側に位置し、前記第１平面部の外周を囲むように前記フランジ部に形成される第２平面部とを成型する柱状の第１内金型と、
前記第１内金型の側面を覆うように筒状に形成され、前記レンズの光軸に略垂直な環状の平面であって、前記第１平面部よりも前記第１レンズ面と前記第２レンズ面のいずれか他方側に位置し、前記第２平面部の外周を囲むように前記フランジ部に形成される第３平面部と、前記フランジ部の外周面の一部とを成型する第１外金型と、
を備え、
前記第２金型部は、
前記第１レンズ面と前記第２レンズ面のいずれか他方を成型するレンズ成型部と、
前記フランジ部の外周面の一部を成型するフランジ成型部と、
を備える
ことを特徴とするレンズ成型用金型。
【請求項１１】
前記第２平面部と前記第３平面部は、前記レンズ部の光軸方向において、略同一の位置に形成されることを特徴とする請求項１０に記載のレンズ成型用金型。
【請求項１２】
前記第２平面部は、前記第３平面部よりも前記第１レンズ面と前記第２レンズ面のいずれか他方側に形成されることを特徴とする請求項１０に記載のレンズ成型用金型。
【請求項１３】
前記第１金型部で成型される前記フランジ部の外周面と前記第２金型部で成型される前記フランジ部の外周面との間に段差面が形成されることを特徴とする請求項１０から請求項１２のいずれか一項に記載のレンズ成型用金型。
【請求項１４】
前記第２金型部が、前記レンズ成型部を有する柱状の第２内金型と、前記フランジ成型部を有し、前記第２内金型の側面を覆うように筒状に形成された第２外金型と、を備えることを特徴とする請求項１０から請求項１３のいずれか一項に記載のレンズ成型用金型。
【請求項１５】
前記第１レンズ面と前記第２レンズ面のいずれか一方は、前記第１レンズ面であり、他方は前記第２レンズ面であることを特徴とする請求項１０から請求項１４のいずれか一項に記載のレンズ成型用金型。
【発明の詳細な説明】
【技術分野】
【０００１】
本発明は、樹脂製のピックアップ装置用レンズと、該ピックアップ装置用レンズを備えたレンズユニット、及び、該ピックアップ装置用レンズを射出成型によって形成するためのレンズ成型用金型に関する。
【背景技術】
【０００２】
ＣＤ、ＤＶＤ等の光ディスクから情報を読み取る光ディスクドライブは、少なくとも一基のレーザ光源と、レーザ光源から出射するレーザ光を光ディスク上で集光させるレンズを有するピックアップ装置を備えている。
【０００３】
ピックアップ装置に備えられるレンズは、一般的に射出成型によって成型される樹脂成型品であり、このようなレンズは、例えば、特許文献１、２に示されている。
【０００４】
特許文献１に記載のレンズは、レンズの外縁からフランジ状に突出した略円盤状のフランジ部を備えており、レーザ光源からの光が入射する第１レンズ面側のフランジ部に円環状の平面である取付面を備えている。そして、この取付面をレンズホルダの保持面に載せ、接着剤を取付面のコーナーに注入することによって、レンズをレンズホルダ上に固定している。このようなレンズの取付方法においては、レンズの取付面とレンズホルダの保持面とが当接することによりレンズの位置決めがなされるため、レンズの取付面に高い平面精度が要求され、レンズの取付面上にバリ等が発生しないように金型を設計している。
【０００５】
また、特許文献２に記載のレンズも、特許文献１に記載のレンズと同様、レンズの外縁からフランジ状に突出した略円盤状のフランジ部を備えている。そして、このフランジ部をレンズホルダの傾斜面（円錐台面）に載せ、レンズの傾き調整を行った上で、フランジ部の外周面とレンズホルダとの間に接着剤を注入することによって、レンズをレンズホルダ上に固定している。このようなレンズの取付方法においては、レンズのフランジ部をレンズホルダの傾斜面に対して摺動させてレンズの位置調整をおこなうため、レンズのフランジ部のコーナー（レンズホルダの傾斜面との当接部）にバリ等が発生しないように金型を設計している。
【先行技術文献】
【特許文献】
【０００６】
【特許文献１】特開２０１１−１８３５９６号公報
【特許文献２】特開２０１１−２３３１９４号公報
【発明の概要】
【発明が解決しようとする課題】
【０００７】
このように、従来、ピックアップ装置の仕様により、２種類のレンズの取付方法が採用されており、レンズの製造の観点からは、同じ光学仕様のレンズに対して複数の金型を準備する必要があるため、生産効率をより高めるために、１つの金型で両方の取付方法に対応できる形状のレンズが求められている。
【０００８】
本発明はこのような事情に鑑みてなされたものである。すなわち、本発明は、成型時に発生するバリを除去することなく、上記２種類のレンズの取付方法に対応できる形状を有するピックアップ装置用レンズ、及び該ピックアップ装置用レンズを備えたレンズユニット、並びに該ピックアップ装置用レンズを射出成型によって形成するためのレンズ成型用金型を提供することを目的とする。
【課題を解決するための手段】
【０００９】
上記の目的を達成するため、本発明のピックアップ装置用レンズは、光源から出射された所定波長の光が入射する第１レンズ面と該第１レンズ面に入射した光が出射される第２レンズ面とが表裏に形成されたレンズ部と、レンズ部の縁部からフランジ状に突出する略円盤状のフランジ部とを備えた樹脂製のピックアップ装置用レンズであって、フランジ部は、レンズ部の光軸に略垂直な環状の平面であって、第１レンズ面と第２レンズ面のいずれか一方の外周を囲むようにフランジ部の一方端面に形成された第１平面部と、レンズ部の光軸に略垂直な環状の平面であって、第１平面部の外周を囲むように形成された第２平面部と、レンズ部の光軸に略垂直な環状の平面であって、第２平面部の外周を囲むように形成された第３平面部と、フランジ部の外周面上であって、フランジ部の一方端面側の端部から他方端面側の端部に向かって所定距離だけ離れた位置に周方向に形成された第１のバリ形成部と、第２平面部と第３平面部との境界部に形成された第２のバリ形成部とを備え、第２平面部及び第３平面部は、第２のバリ形成部において発生するバリが第１平面部から突出しないように、第１平面部よりもフランジ部の他方端面側に形成されていることを特徴とする。
【００１０】
このような構成によれば、第１平面部及びフランジ部の外縁部にバリが発生することがないため、上記のいずれのタイプのレンズホルダに対しても取り付け可能なピックアップ装置用レンズが提供される。
【００１１】
また、第２平面部と第３平面部は、光軸方向において、略同一の位置に形成されていることが好ましい。
【００１２】
また、第２平面部は、第３平面部よりもフランジ部の他方端面側に形成されており、フランジ部は、第２のバリ形成部に沿って第１の段差部を有することが好ましい。このような構成によれば、ピックアップ装置用レンズの形状が安定するため、離型抵抗が安定する。
【００１３】
また、フランジ部は、第１のバリ形成部に沿って第２の段差部を有することが好ましい。このような構成によれば、ピックアップ装置用レンズの外形が安定するため、離型抵抗も安定する。
【００１４】
また、所定距離は、フランジ部の一方端面と他方端面との間の距離の１／２より短くなるように構成することが望ましい。このような構成によれば、第１レンズ面と第２レンズ面のいずれか一方と該一方の面を成型する金型との離型抵抗を、第１レンズ面と第２レンズ面のいずれか他方と該他方の面を成型する金型との離型抵抗に配分することができるため、レンズの離型が容易になる。
【００１５】
また、フランジ部の一方端面は、第１レンズ面側の端面であることが望ましい。
【００１６】
また、別の観点からは、本発明のレンズユニットは、上記のいずれかのピックアップ装置用レンズと、該ピックアップ装置用レンズを保持するレンズホルダとを備えるレンズユニットであって、レンズホルダは、貫通孔が形成された板状の部材であり、該貫通孔の外周に第１平面部と当接しピックアップ装置用レンズを位置決めするレンズ保持面を備えることを特徴とする。このような構成のレンズユニットによれば、ピックアップ装置用レンズをレンズホルダ上に正確に位置決めすることができる。
【００１７】
また、本発明のレンズユニットは、上記のいずれかのピックアップ装置用レンズと、該ピックアップ装置用レンズを保持するレンズホルダとを備えるレンズユニットであって、レンズホルダは、貫通孔が形成された板状の部材であり、該貫通孔の内周面は、フランジ部の一方端面側の端部が当接可能な傾斜面となっており、レンズユニットは、フランジ部の一方端面側の端部を傾斜面に対して摺動させることによりピックアップ装置用レンズの傾きを調整する傾き調整手段を備える構成とすることができる。この場合、傾斜面の傾斜角度をα０、傾き調整手段によって調整可能なピックアップ装置用レンズの傾き角度をα１、第１のバリ形成部において発生するバリの高さをＴｂ１、第２のバリ形成部において発生するバリの高さをＴｂ２、フランジ部の光軸方向の厚みをＤｆとしたとき、フランジ部の第１レンズ面側の外縁から第１のバリ形成部までの距離Ｌｂ１、及びフランジ部の第１レンズ面側の外縁から第２のバリ形成部までの距離Ｌｂ２は、次の条件式（１）及び（２）を満足することが好ましい。
【数１】
2014056632.tif 000003
【数２】
2014056632.tif 000004
【００１８】
また、別の観点からは、本発明のレンズ成型用金型は、表裏に第１レンズ面及び第２レンズ面が形成されたレンズ部と、レンズ部の縁部からフランジ状に突出する略円盤状のフランジ部とを備えた樹脂製のレンズを、射出成型によって形成するためのレンズ成型用金型であって、レンズ部の光軸に垂直な平面上にパーティングライン面を有する第１及び第２金型部を備え、第１金型部は、第１レンズ面と第２レンズ面のいずれか一方と、レンズ部の光軸に略垂直な環状の平面であって第１レンズ面と第２レンズ面のいずれか一方の外周を囲むようにフランジ部に形成される第１平面部と、レンズの光軸に略垂直な環状の平面であって第１平面部よりも第１レンズ面と第２レンズ面のいずれか他方側に位置し、第１平面部の外周を囲むようにフランジ部に形成される第２平面部とを成型する柱状の第１内金型と、第１内金型の側面を覆うように筒状に形成され、レンズの光軸に略垂直な環状の平面であって第１平面部よりも第１レンズ面と第２レンズ面のいずれか他方側に位置し、第２平面部の外周を囲むようにフランジ部に形成される第３平面部と、フランジ部の外周面の一部とを成型する第１外金型とを備え、第２金型部は、第１レンズ面と第２レンズ面のいずれか他方を成型するレンズ成型部と、フランジ部の外周面の一部を成型するフランジ成型部とを備えることを特徴とする。
【発明の効果】
【００１９】
以上のように、本発明によれば、成型時に発生するバリを除去することなく、上記２種類のレンズの取付方法に対応できる形状を有するピックアップ装置用レンズが実現される。また、このようなピックアップ装置用レンズを備えたレンズユニット、並びにピックアップ装置用レンズを射出成型によって形成するためのレンズ成型用金型も提供される。
【図面の簡単な説明】
【００２０】
【図１】図１は、本発明の実施の形態のレンズがピックアップ装置に搭載された様子を示す断面図である。
【図２】図２は、本発明の実施の形態のレンズ及びレンズ成型用金型の断面図である。
【図３】図３は、図２のＡ部の拡大図である。
【図４】図４は、本発明の実施の形態のレンズのバリ形成部の位置とレンズホルダの傾斜面との関係を説明する図である。
【図５】図５は、第１の変形例のレンズ及びレンズ成型用金型の断面図である。
【図６】図６は、第１の変形例のレンズ及びレンズ成型用金型の断面図である。
【発明を実施するための形態】
【００２１】
以下、本発明の実施の形態について、図面を用いて説明する。
【００２２】
図１は、本実施形態のレンズがピックアップ装置に搭載された様子を示す断面図である。本実施形態のピックアップ装置１００は、光ディスク（不図示）に記録されたデータを読み出す、或いは光ディスクにデータを記録するための装置であり、レンズ１はピックアップ装置１００内のレンズホルダ１１０又は１１０’に固定されている。なお、図１（ａ）は、レンズ１の取付面１１と当接する保持面１１１が形成されたレンズホルダ１１０にレンズ１が搭載された様子を示す断面図であり、図１（ｂ）は、レンズ１のフランジ部１ｂと当接する傾斜面１１３（円錐台面）が形成されたレンズホルダ１１０’にレンズ１が搭載された様子を示す断面図である。図１（ａ）に示すように、レンズホルダ１１０は、レンズ１の第１レンズ面Ｒ１を収容する貫通孔１１２が形成された板状の部材であり、貫通孔１１２の上側開口部の周辺には、レンズ１の光軸ＡＸに垂直な円環状の平面である保持面１１１が形成されている。また、図１（ｂ）に示すように、レンズホルダ１１０’は、貫通孔１１２’が形成された板状の部材であり、貫通孔１１２’の内周面は、レンズ１のフランジ部１ｂと当接する傾斜面１１３となっている。
【００２３】
図１（ａ）及び（ｂ）に示されるように、レンズ１は、一方の面（図中下側）に第１レンズ面Ｒ１が設けられ、他方の面（図中上側）に第２レンズ面Ｒ２が設けられたレンズ部１ａと、レンズ部１ａの外縁から略円盤状に突出したフランジ部１ｂを有する。第１レンズ面Ｒ１及び第２レンズ面Ｒ２はいずれも凸面であり、レンズ１は、凸レンズとして機能する。
【００２４】
ピックアップ装置１００は、レーザ光源（不図示）からのレーザ光をレンズ１に入射させ、レンズ１によって集光されるレーザ光を光ディスクに照射する。光ディスクに記録されたデータを読み出す際は、レーザ光は光ディスク上で反射した後、レンズ１を介してピックアップ装置１００のフォトディテクタ（不図示）に入射する。すなわち、光ディスク上で反射したレーザ光は最終的にフォトディテクタで読み取られるようになっている。なお、ピックアップ装置１００のレーザ光源及びフォトディテクタは第１レンズ面Ｒ１側に設けられており、一方、光ディスクは第２レンズ面Ｒ２側に位置するようになっている。
【００２５】
光ディスクからデータを確実に読み出す又は光ディスクにデータを確実に記録するためには、レンズ１（第２レンズ面Ｒ２）と光ディスクとの距離が近い、すなわち、レンズ１の焦点距離を微小とすることが望まれる。本実施形態においては、第１レンズ面Ｒ１を大きく凸として（すなわち、第１レンズ面Ｒ１の曲率半径を小さくして）、レンズのパワーを大きくすることによって、レンズ１の焦点の位置を第２レンズ面Ｒ２に極めて近接したものとしている。
【００２６】
フランジ部１ｂの第１レンズ面Ｒ１側には、第１レンズ面Ｒ１の外周を囲むように、レンズ１の光軸ＡＸに垂直な円環状の平面である第１平面部１１が形成されている。そして、レンズ１が、図１（ａ）に示すような平面の保持面１１１が形成されたレンズホルダ１１０に搭載される場合、レンズ１の第１平面部１１をレンズホルダ１１０の保持面１１１に載せ、次いで、接着剤Ａｂをレンズ１のフランジ部１ｂのコーナー（すなわち、フランジ部１ｂとレンズホルダ１１０との隙間）に注入することによって、レンズ１はホルダ１１０上で固定される。
【００２７】
また、フランジ部１ｂの第１レンズ面Ｒ１側には、第１平面部１１の外周を囲むように、レンズ１の光軸ＡＸに略垂直な円環状の平面である第２平面部１２が形成されており、また、第２平面部１２の外周を囲むように、レンズ１の光軸ＡＸに略垂直な円環状の平面である第３平面部１３が形成されている。詳細は後述するが、本実施形態においては、第２平面部１２と第３平面部１３は、レンズ１の光軸ＡＸの方向において、略同一の位置に形成されている。また、第２平面部１２と第３平面部１３は、第１平面部１１よりも第２レンズ面Ｒ２側に形成されており、第１平面部１１と第２平面部１２との間には、所定の高さの段差ｄ（後述）が形成されている。レンズ１が、図１（ｂ）に示すような傾斜面１１３が形成されたレンズホルダ１１０’に搭載される場合、レンズ１をレンズホルダ１１０’に取り付けると、第３平面部１３の外縁部（すなわち、フランジ部１ｂの外縁部１ｂｃ）が傾斜面１１３に載った状態（当接した状態）となる。そして、この状態でレンズ１の光軸ＡＸが光ディスクに対して垂直になるように、例えばフランジ部１ｂの第２レンズ面Ｒ２側の所定箇所を調整ピン等で押圧することにより、レンズ１の傾きを調整し、接着剤Ａｂをレンズ１のフランジ部１ｂの外縁部１ｂｃ（すなわち、フランジ部１ｂとレンズホルダ１１０との隙間）に注入することによって、レンズ１はホルダ１１０’上に固定される。なお、本実施形態のレンズ１には、フランジ部１ｂの第２レンズ面Ｒ２側に、レンズ１の光軸ＡＸに垂直な円環状の平面である傾き検出面１４が形成されている。レンズ１の傾き調整は、傾き検出面１４に向かって平行光を出射し、その反射光をモニタすることにより行われる。このようなレンズ１の傾き調整については、例えば、特許文献２に記載されているため、本明細書においては、詳細な説明を省略する。
【００２８】
このように、本実施形態のレンズ１は、第１平面部１１と、第１平面部よりも第２レンズ面Ｒ２側にオフセットして形成された第２平面部１２及び第３平面部１３を備えており、図１（ａ）に示すような保持面１１１が形成されたレンズホルダ１１０であっても、また、図１（ｂ）に示すような傾斜面１１２が形成されたレンズホルダ１１０’であっても搭載可能に構成されている。また、詳細は後述するが、本実施形態のレンズ１は、第１平面部１１にバリが発生しないように構成されており、また、フランジ部１ｂの外縁部１ｂｃにもバリが発生しないように構成されている。従って、レンズ１は、バリを除去することなく、上記レンズホルダ１１０又は１１０’のいずれにも搭載することができるようになっている。
【００２９】
次に、レンズ１の成型金型及び該金型を使用して成型するレンズの成型方法について説明する。本実施形態においては、レンズ１はプラスチック製であり、射出成型によって製造される。本実施形態のレンズ１及び、レンズ１を成型するための金型の断面図を図２及び図３に示す。図３は、図２のＡ部の拡大図である。
【００３０】
図２に示すように、レンズ１を成型するための金型２００は、固定側金型部２１０と、可動側金型部２２０とを有する。固定側金型部２１０は、外金型（左）２１１と、内金型（左）２１２とを有する。外金型（左）２１１には、穴２１１ａが設けられており、内金型（左）２１２は、外金型（左）２１１の穴２１１ａに収容されて固定されている。また、可動側金型部２２０は、外金型（右）２２１と、内金型（右）２２２とを有する。外金型（右）２２１には、穴２２１ａが設けられており、内金型（右）２２２は、外金型（右）２２１の穴２２１ａに収容されて固定されている。外金型（左）２１１の端面２１１ｅと、外金型（右）２２１の端面２２１ｅは、共にレンズ１の光軸ＡＸに垂直な平面であり、固定側金型部２１０と可動側金型部２２０のパーティングライン面（ＰＬ面）となっている。すなわち、可動側金型部２２０は、固定側金型部２１０に対して光軸ＡＸに沿って移動可能に構成されており、外金型（左）２１１の端面２１１ｅと、外金型（右）２２１の端面２２１ｅとが互いに当接することによって形成される空間内でレンズ１が成型される。
【００３１】
内金型（左）２１２には、レンズ１の第１レンズ面Ｒ１を成型するための凹部２１２ａ、第１平面部１１を成型するための平面部２１２ｂ、及び第２平面部１２を成型するための平面部２１２ｃ（図３）が形成されている。また、内金型（右）２２２には、レンズ１の第２レンズ面Ｒ２を成型する為の凹部２２２ａ、及び傾き検出面１４を成型するための平面部２２２ｂが形成されている。
【００３２】
外金型（左）２１１には、第３平面部１３を成型するための平面部２１１ｂ、及びフランジ部１ｂの外周面の一部（第１レンズ面Ｒ１側の一部）を成型するための円筒面２１１ｃが形成されている。なお、本実施形態においては、円筒面２１１と平面部２１１ｂとの接合部（すなわち、フランジ部１ｂの外縁部１ｂｃ）は、略直角に形成されている。また、外金型（右）２２１には、フランジ部１ｂの外周面の一部（第２レンズ面Ｒ２側の一部）を成型するための円筒面２２１ｃ、及びフランジ部１ｂの第２レンズ面Ｒ２側の端部を成型するための平面部２２１ｂが形成されている。なお、本実施形態においては、外金型（左）２１１で成型されるフランジ部１ｂの外周面と、外金型（右）２２１で成型されるフランジ部１ｂの外周面とが略同一面となるように連続している。
【００３３】
なお、外金型（左）２１１の穴２１１ａの内周面と、外金型（右）２２１の穴２２１ａの内周面は、共に光軸ＡＸを中心とする円筒面となっている。そして、穴２１１ａに内金型（左）２１２を取り付け、且つ、穴２２１ａに内金型（右）２２２を取り付けた状態では、穴２１１ａ及び２２１ａによって内金型（左）２１２及び内金型（右）２２２が高精度に位置決めされた状態となり、内金型（左）２１２の凹部２１２ａと、内金型（右）２２２の凹部２２２ａとが、偏心無く外金型（左）２１１及び外金型（右）２２１に組付けられる。この結果、成型されるレンズ１は、第１レンズ面Ｒ１の光軸と第２レンズ面Ｒ２の光軸とが極めて高い精度にて一致したレンズとなる。
【００３４】
本実施形態のレンズ１を成型する金型２００は、上記のように外金型と内金型とを組み合わせて構成されるものであるため、金型２００の内部に樹脂を注入してレンズ１の成型を行うと、外金型（左）２１１と内金型（左）２１２の隙間、外金型（右）２２１と内金型（右）２２２の隙間、及び外金型（左）２１１と外金型（右）２２１の隙間（すなわち、ＰＬ面の隙間）に樹脂が流れ込み、レンズ１にバリが発生する。レンズ１にバリが発生すると、そのバリの位置及び量（高さ）によっては、レンズ１を上記レンズホルダ１１０又は１１０’に組み付ける際に障害となる（すなわち、干渉する）。例えば、レンズ１の第１平面部１１にバリが発生した場合、上記図１（ａ）に示すような保持面１１１が形成されたレンズホルダ１１０にレンズ１を組み付けると、レンズ１はバリの量だけ保持面１１１から浮いた状態でレンズホルダ１１０に取り付けられる。このため、レンズ１が傾くことにより収差が発生して光学性能が劣化したり、あるいはレンズ１が取付け基準面（保持面１１１）から浮くことにより接着強度が劣化する等の問題が発生する。また、フランジ部１ｂの外縁部１ｂｃにバリが発生した場合、図１（ｂ）に示すような傾斜面１１３が形成されたレンズホルダ１１０’にレンズ１を組み付けると、バリと傾斜面１１３が接触した状態（すなわち、レンズ１とレンズホルダ１１０’との間の摩擦力が大きい状態）でレンズ１の傾き調整を行わなければならなくなり、レンズ１の傾き調整は困難なものとなる。そこで、本実施形態においては、レンズ１に発生するバリが、上記レンズホルダ１１０又は１１０’と干渉しない位置に形成されるように、金型２００を構成している。
【００３５】
図３に示すように、本実施形態の金型２００のＰＬ面は、フランジ部１ｂの外周面の第１レンズ面Ｒ１側（図中左側）に位置している。このため、レンズ１のフランジ部１ｂの外周面上にバリが発生する（バリ形成部Ｂ１）。また、外金型（左）２１１と内金型（左）２１２の型分割面（隙間）は、第２平面部１２と第３平面部１３との境界となっている。このため、第２平面部１２と第３平面部１３境界部にバリが発生する（バリ形成部Ｂ２）。また、外金型（右）２２１と内金型（右）２２２の型分割面（隙間）は、傾き検出面１３の外側に位置している。このため、傾き検出面１３の外側にバリが発生する（バリ形成部Ｂ３）。
【００３６】
つまり、本実施形態の金型２００は、レンズ１の第１平面部１１及びフランジ部１ｂの外縁部１ｂｃを避けた位置にバリ形成部Ｂ１及びＢ２が位置するように、型分割面及びＰＬ面が配置されている。従って、上述したように、レンズ１に発生するバリが、上記レンズホルダ１１０又は１１０’と干渉することはなく、レンズ１は、バリを除去することなく、上記レンズホルダ１１０又は１１０’のいずれにも搭載することができる。
【００３７】
図４は、本実施形態のレンズ１のバリ形成部Ｂ１及びＢ２の位置とレンズホルダ１１０’の傾斜面１１３との関係を説明する図である。図４に示すように、本実施形態のバリ形成部Ｂ１とフランジ部１ｂの外縁部１ｂｃとの距離を距離Ｌｂ１とし、バリ形成部Ｂ２とフランジ部１ｂの外縁部１ｂｃとの距離を距離Ｌｂ２とすると、距離Ｌｂ１及びＬｂ２は以下の条件式（１）及び（２）を満たすようになっている。
【数３】
2014056632.tif 000005
【数４】
2014056632.tif 000006
ここで、α０は、上記レンズホルダ１１０’の傾斜面１１３の傾斜角度（光軸ＡＸに垂直な平面と傾斜面１１３とのなす角度）を表し、本実施形態においては、３０〜６０°の傾斜角度の傾斜面１１３を想定している。α１は、レンズ１の傾き調整角度を表し、本実施形態においては、α０を基準として、±１５°の範囲で調整可能となるように設定している。Ｔｂ１及びＴｂ２は、それぞれバリ形成部Ｂ１及びＢ２において発生するバリの発生量（高さ）を表し、本実施形態においては、０〜０．０３ｍｍのバリ高さを想定している。Ｄｆは、フランジ部１ｂの外周面の長さ（厚み）を表している。
【００３８】
バリ形成部Ｂ１に発生するバリが、条件式（１）を満たし、バリ形成部Ｂ２に発生するバリが、条件式（２）を満たすとき、３０〜６０°の傾斜角度の傾斜面１１３を有するレンズホルダ１１０’に、バリを除去することなくレンズ１を取り付けることが可能となり、好適には、距離Ｌｂ１及びＬｂ２は、それぞれバリ高さＴｂ１及びＴｂ２の０．６倍よりも長くなるように構成されるのが望ましい。
【００３９】
また、バリ形成部Ｂ２に発生するバリが、第１平面部１１を超えないように、第１平面部１１と第２平面部１２との間の段差ｄをバリ形成部Ｂ２のバリの高さ（例えば、０．０３ｍｍ）よりも大きく設定すれば、レンズ１の第１平面部を上記レンズホルダ１１０の保持面１１１に確実に当接させて取付けることが可能となる。なお、上記の条件式（１）においては、成型後のレンズ１が可動側金型部２２０側に残留して取り出せるように、ＰＬ面を第１レンズ面Ｒ１側に設けたが（すなわち、Ｌｂ１≦Ｄｆ／２という条件を加えたが）、ＰＬ面はフランジ部１ｂの外周面上であれば、どの位置に設けられてもよい（すなわち、バリ形成部Ｂ１は、フランジ部１ｂの外周面のどの位置に設けられてもよい）。
【００４０】
以上が本発明の実施形態の説明であるが、本発明は、上述の実施形態に限定されるものではなく、技術的思想の範囲内において様々な変形が可能である。例えば、本実施形態においては、フランジ部１ｂの第１レンズ面Ｒ１側に第１平面部１１、第２平面部１２及び第３平面部１３を形成してレンズホルダ１１０に対する取付け面を構成したが、第１平面部１１、第２平面部１２及び第３平面部１３をフランジ部１ｂの第２レンズ面Ｒ２側に形成し、第２レンズ面Ｒ２側を下にして（すなわち、フランジ部１ｂの第２レンズ面Ｒ２側を）レンズホルダ１１０に取付ける構成としてもよい。なお、この場合、フランジ部１ｂの第１レンズ面Ｒ１側に、傾き検出面１４が形成される。
【００４１】
また、本実施形態においては、第２レンズ面Ｒ２を成型するための可動側金型部２２０が、外金型（右）２２１と、内金型（右）２２２とを有する構成としたが、必ずしも２つの金型に分割されている必要はなく、例えば、外金型（右）２２１と内金型（右）２２２とが一体に構成されていてもよい。この場合、円筒面２２１ｃ、平面部２２１ｂ及び凹部２２２ａが１つの可動側金型部２２０に形成される。
【００４２】
また、本実施形態においては、第２平面部１２と第３平面部１３は、レンズ１の光軸ＡＸの方向において、略同一の位置に形成される（すなわち、第２平面部１２と第３平面部１３は、略同一平面上に形成される）ものとしたが、このような構成に限定されるものではない。図５は、本実施形態の第１の変形例のレンズ１Ａ、及びレンズ１Ａを成型するための金型２００Ａを示す断面図である。本変形例のレンズ１Ａは、第２平面部１２Ａを第３平面部１３よりも第２レンズ面Ｒ２側に形成した点（すなわち、平面部２１２ｃを平面部２１１ｂよりも第２レンズ面Ｒ２側に形成した点）で、本実施形態のレンズ１及び金型２００と異なる。このように第２平面部１２Ａと第３平面部１３の位置が異なるように構成すると、成型条件によって第２平面部１２Ａが第３平面部１３よりも突出したり、また第３平面部１３が第２平面部１２Ａよりも突出したりすることがなくなり、レンズ１Ａの形状が安定するため、レンズ成型後に型抜きをする際に、レンズ１Ａの離型抵抗（レンズ１Ａと金型２００Ａ間で発生する摩擦力）が安定する。
【００４３】
また、本実施形態においては、外金型（左）２１１で成型されるフランジ部１ｂの外周面と、外金型（右）２２１で成型されるフランジ部１ｂの外周面とが略同一面となるように連続しているとしたが、このような構成に限定されるものではない。図６は、本実施形態の第２の変形例のレンズ１Ｂ、及びレンズ１Ｂを成型するための金型２００Ｂを示す断面図である。本変形例のレンズ１Ｂは、フランジ部１ｂの外周面上にＰＬ面に沿った段差部１６を形成した点で、第２の変形例のレンズ１Ａと異なる。このように、フランジ部１ｂの外周面上に段差部１６を形成すると、外金型（左）２１１で成型されるフランジ部１ｂの外周面が外金型（右）２２１で成型されるフランジ部１ｂの外周面よりも突出したり、外金型（右）２２１で成型されるフランジ部１ｂの外周面が外金型（左）２１１で成型されるフランジ部１ｂの外周面よりも突出したりすることがなくなり、レンズ１Ｂの形状が安定する。なお、本変形例においては、外金型（左）２１１で成型されるフランジ部１ｂの外周面が外金型（右）２２１で成型されるフランジ部１ｂの外周面よりも低くなるように構成しているが、外金型（左）２１１で成型されるフランジ部１ｂの外周面が外金型（右）２２１で成型されるフランジ部１ｂの外周面よりも高くなるように構成しても同様の効果を得ることができる。
【符号の説明】
【００４４】
１、１Ａ、１Ｂ    レンズ
１ａ    レンズ部
１ｂ    フランジ部
１ｂｃ    外縁部
１１    第１平面部
１２、１２Ａ    第２平面部
１３    第３平面部
１４    傾き検出面
１５、２５    凹部
１６    段差部
２１    傾き検出面
１００    ピックアップ装置
１１０、１１０’    レンズホルダ
１１１    保持面
１１２、１１２’    貫通孔
１１３    傾斜面
２００、２００Ａ、２００Ｂ    金型
２１０    固定側金型部
２１１    外金型（左）
２１１ａ、２２１ａ    穴
２１１ｃ、２２１ｃ    円筒面
２１１ｅ、２２１ｅ    端面
２１２    内金型（左）
２１２ａ、２２２ａ    凹部
２１２ｂ、２１２ｃ、２２２ｂ、２１１ｂ、２２１ｂ    平面部
２２１    外金型（右）
２２２    内金型（右）
２２０    可動側金型部
【図１】
2014056632.tif 000009
【図２】
2014056632.tif 000010
【図３】
2014056632.tif 000011
【図４】
2014056632.tif 000012
【図５】
2014056632.tif 000013
【図６】
2014056632.tif 000014